【手続補正書】
【提出日】平成18年4月27日(2006.4.27)
【手続補正１】
【補正対象書類名】明細書
【補正対象項目名】発明の名称
【補正方法】変更
【補正の内容】
【発明の名称】光通信機能付き電子機器、その制御方法、その制御プログラム、及び光通信装置
【手続補正２】
【補正対象書類名】明細書
【補正対象項目名】特許請求の範囲
【補正方法】変更
【補正の内容】
【特許請求の範囲】
【請求項１】  無線の光通信でデータ通信を行なう光通信手段であって、信号光を一方向に向かって所定角度広がるように発光して送信を行なう光通信手段と、
前記一方向と同方向に向かって前記光通信手段からの信号光が広がる範囲と略同じ範囲の画像を電子的に撮影する撮像手段と、
前記光通信手段による光通信中に前記撮像手段により撮影される画像に変化があった場合、光通信を中断する制御を行なう制御手段を有することを特徴とする光通信機能付き電子機器。
【請求項２】  前記撮像手段により撮影された画像に所定形式のコードが含まれていた場合に該コードを復号化する復号化手段と、
正規の通信相手の通信装置の識別情報を記憶する記憶手段と、
前記光通信手段による光通信の開始直前に、前記撮像手段により撮影された画像に前記コードが含まれていて、前記復号化手段が前記コードを復号化した結果の情報が前記記憶手段に記憶された識別情報に一致する場合にのみ光通信を開始するように制御する制御手段を有することを特徴とする請求項１に記載の光通信機能付き電子機器。
【請求項３】  前記光通信手段と撮像手段が同一面に面して互いに近傍に配置されているとともに、
前記光通信手段による光通信の開始直前に前記撮像手段により撮影された画像を解析して前記光通信手段と撮像手段が通信相手の光通信装置に密着しているか否か判断する画像解析手段を有し、
該画像解析手段が密着していないと判断した場合にのみ前記制御手段が前記光通信中の制御を行なうことを特徴とする請求項１に記載の光通信機能付き電子機器。
【請求項４】  前記コードは２次元コードであることを特徴とする請求項１から３までのいずれか１項に記載の光通信機能付き電子機器。
【請求項５】  無線の光通信でデータ通信を行ない、送信は信号光を一方向に向かって所定角度広がるように発光して行なう光通信手段を有する光通信機能付き電子機器の制御方法であって、
前記光通信手段による光通信中に、画像を電子的に撮影する撮像手段により前記一方向と同方向に向かって前記光通信手段からの信号光が広がる範囲と略同じ範囲の画像を撮影し、該画像に変化があった場合、光通信を中断するように制御することを特徴とする光通信機能付き電子機器の制御方法。
【請求項６】  前記光通信手段による光通信の開始直前に、前記撮像手段により前記一方向と同方向に向かって前記光通信手段からの信号光が広がる範囲と略同じ範囲の画像を撮影し、撮影された画像に所定形式のコードが含まれていた場合に該コードを復号化し、その結果の情報が予め記憶した正規の通信相手の通信装置の識別情報に一致する場合にのみ光通信を開始するように制御することを特徴とする請求項５に記載の光通信機能付き電子機器の制御方法。
【請求項７】  前記光通信手段による光通信の開始直前に、前記撮像手段により前記一方向と同方向に向かって前記光通信手段からの信号光が広がる範囲と略同じ範囲の画像を撮影し、撮影された画像を解析して前記光通信手段と撮像手段が通信相手の光通信装置に密着しているか否か判断し、密着していないと判断した場合にのみ前記光通信中の制御を行なうことを特徴とする請求項５に記載の光通信機能付き電子機器の制御方法。
【請求項８】  無線の光通信でデータ通信を行ない、送信は信号光を一方向に向かって所定角度広がるように発光して行なう光通信手段を有する光通信機能付き電子機器の制御プログラムであって、
前記光通信手段による光通信中に、画像を電子的に撮影する撮像手段により前記一方向と同方向に向かって前記光通信手段からの信号光が広がる範囲と略同じ範囲の画像を撮影し、該画像に変化があった場合、光通信を中断するように制御するための制御手順を含むことを特徴とする光通信機能付き電子機器の制御プログラム。
【請求項９】  前記光通信手段による光通信の開始直前に、前記撮像手段により前記一方向と同方向に向かって前記光通信手段からの信号光が広がる範囲と略同じ範囲の画像を撮影し、撮影された画像に所定形式のコードが含まれていた場合に該コードを復号化し、その結果の情報が予め記憶した正規の通信相手の通信装置の識別情報に一致する場合にのみ光通信を開始するように制御するための制御手順を含むことを特徴とする請求項８に記載の光通信機能付き電子機器の制御プログラム。
【請求項１０】  前記光通信手段による光通信の開始直前に、前記撮像手段により前記一方向と同方向に向かって前記光通信手段からの信号光が広がる範囲と略同じ範囲の画像を撮影し、撮影された画像を解析して前記光通信手段と撮像手段が通信相手の光通信装置に密着しているか否か判断し、密着していないと判断した場合にのみ前記光通信中の制御を行なうための制御手順を含むことを特徴とする請求項８に記載の光通信機能付き電子機器の制御プログラム。
【請求項１１】  請求項２に記載の光通信機能付き電子機器の光通信手段と光通信を行なう光通信装置であって、
前記光通信手段からの信号光を受光する受光手段が配置された面に、当該光通信装置の識別情報を示す所定形式のコードが表示されていることを特徴とする光通信装置。
【手続補正３】
【補正対象書類名】明細書
【補正対象項目名】０００１
【補正方法】変更
【補正の内容】
【０００１】
【発明の属する技術分野】
本発明は、赤外線などの光による無線の光通信でデータ通信を行なう例えば携帯端末装置などの光通信機能付き電子機器、その制御方法、その制御プログラム、及び光通信機能付き電子機器と光通信を行なう光通信装置に関するものである。
【手続補正４】
【補正対象書類名】明細書
【補正対象項目名】００１０
【補正方法】変更
【補正の内容】
【００１０】
そこで本発明の課題は、上述した種類の光通信機能付き電子機器、その制御方法、その制御プログラム、及び光通信機能付き電子機器と光通信を行なう光通信装置において、上述のような問題を防止し、光通信のセキュリティを向上することができる構成を提供することにある。
【手続補正５】
【補正対象書類名】明細書
【補正対象項目名】００１１
【補正方法】変更
【補正の内容】
【００１１】
【課題を解決するための手段】
上記の課題を解決するため、本発明（請求項１）によれば、
光通信機能付き電子機器において、
無線の光通信でデータ通信を行なう光通信手段であって、信号光を一方向に向かって所定角度広がるように発光して送信を行なう光通信手段と、
前記一方向と同方向に向かって前記光通信手段からの信号光が広がる範囲と略同じ範囲の画像を電子的に撮影する撮像手段と、
前記光通信手段による光通信中に前記撮像手段により撮影される画像に変化があった場合、光通信を中断する制御を行なう制御手段を有する構成を採用した。
また、本発明（請求項２）によれば、さらに、
前記撮像手段により撮影された画像に所定形式のコードが含まれていた場合に該コードを復号化する復号化手段と、
正規の通信相手の通信装置の識別情報を記憶する記憶手段と、
前記光通信手段による光通信の開始直前に、前記撮像手段により撮影された画像に前記コードが含まれていて、前記復号化手段が前記コードを復号化した結果の情報が前記記憶手段に記憶された識別情報に一致する場合にのみ光通信を開始するように制御する制御手段を有する構成を採用した。
また、本発明（請求項３）によれば、さらに、
前記光通信手段と撮像手段が同一面に面して互いに近傍に配置されているとともに、
前記光通信手段による光通信の開始直前に前記撮像手段により撮影された画像を解析して前記光通信手段と撮像手段が通信相手の光通信装置に密着しているか否か判断する画像解析手段を有し、
該画像解析手段が密着していないと判断した場合にのみ前記制御手段が前記光通信中の制御を行なう構成を採用した。
また本発明（請求項５〜１０）によれば、上記本発明（請求項１〜３）に係る光通信機能付き電子機器の構成に対応する光通信機能付き電子機器の制御方法、及びその制御プログラムの構成を採用した。
さらに本発明（請求項１１）によれば、上記本発明（請求項２）に係る光通信機能付き電子機器の光通信手段と光通信を行なう光通信装置であって、
前記光通信手段からの信号光を受光する受光手段が配置された面に、当該光通信装置の識別情報を示す所定形式のコードが表示されている構成を採用した。